(57)【要約】【課題】操作手順を記録できる機能を備えた電子機器において、機器運用上の安全性を高めること。【解決手段】本発明は、所定の操作手順を記録し、この記録した操作手順を再生することで定型的な処理を実行する機能を有する電子機器において、所定の操作手順を記録するにあたり、所定の認証を要求する操作を行った場合には認証に関わる情報を記録することを中止する制御を制御部１で行う。また、本発明は、所定の操作手順を記録している際に所定の認証を要求する操作を行った場合、それまでに記録した操作手順を破棄する制御を制御部１で行う。【選択図】図１
2005217560.tif 000002
【特許請求の範囲】
【請求項１】
所定の操作手順を記録し、この記録した操作手順を再生することで定型的な処理を実行する機能を有する電子機器において、
前記所定の操作手順を記録するにあたり、所定の認証を要求する操作を行った場合には前記認証に関わる情報を記録することを中止する制御を行う制御手段を備えている
ことを特徴とする電子機器。
【請求項２】
所定の操作手順を記録し、この記録した操作手順を再生することで定型的な処理を実行する機能を有する電子機器において、
前記所定の操作手順を記録するにあたり、所定の認証を要求する操作を行った場合に、前記認証に関わる情報を記録するか否かを切り換える切り換え手段を備えている
ことを特徴とする電子機器。
【請求項３】
所定の操作手順を記録し、この記録した操作手順を再生することで定型的な処理を実行する機能を有する電子機器において、
前記所定の操作手順を記録している際に所定の認証を要求する操作を行った場合、それまでに記録した操作手順を破棄する制御を行う制御手段を備えている
ことを特徴とする電子機器。
【請求項４】
所定の操作手順を記録し、この記録した操作手順を再生することで定型的な処理を実行する機能を有する電子機器において、
前記所定の操作手順を記録している際に所定の認証を要求する操作を行った場合、それまでに記録した操作手順を破棄するか否かを切り換える切り換え手段を備えている
ことを特徴とする電子機器。
【請求項５】
所定の操作手順を記録し、この記録した操作手順を再生することで定型的な処理を実行する機能を有する電子機器において、
前記記録した操作手順を再生するにあたり、前記操作手順に所定の認証を要求する操作が含まれている場合は前記操作手順の再生に先立ち前記所定の認証に関わる情報を受け付ける制御を行う制御手段を備えている
ことを特徴とする電子機器。
【請求項６】
所定の操作手順を記録し、この記録した操作手順を再生することで定型的な処理を実行する機能を有する電子機器において、
前記記録した操作手順を再生して、所定の認証を要求する操作になった場合、再生を一旦停止して前記所定の認証に関わる情報を受け付ける制御を行う制御手段を備えている
ことを特徴とする電子機器。
【請求項７】
所定の操作手順を記録し、この記録した操作手順を再生することで定型的な処理を実行する機能を有する電子機器において、
所定の認証を要求する操作を記録した場合に、その記録した操作手順を選択する画面で前記所定の認証を要求する操作が含まれている旨のメッセージを表示する表示手段を備えている
ことを特徴とする電子機器。
【請求項８】
所定の操作手順を記録し、この記録した操作手順を再生することで定型的な処理を実行する制御を行う電子機器の制御方法において、
前記所定の操作手順を記録するにあたり、所定の認証を要求する操作を行った場合には前記認証に関わる情報を記録することを中止する制御を行う
ことを特徴とする電子機器の制御方法。
【請求項９】
所定の操作手順を記録し、この記録した操作手順を再生することで定型的な処理を実行する制御を行う電子機器の制御方法において、
前記所定の操作手順を記録している際に所定の認証を要求する操作を行った場合、それまでに記録した操作手順を破棄する制御を行う
ことを特徴とする電子機器の制御方法。
【請求項１０】
所定の操作手順を記録し、この記録した操作手順を再生することで定型的な処理を実行する制御を行う電子機器の制御方法において、
前記記録した操作手順を再生するにあたり、前記操作手順に所定の認証を要求する操作が含まれている場合は前記操作手順の再生に先立ち前記所定の認証に関わる情報を受け付ける制御を行う
ことを特徴とする電子機器の制御方法。
【請求項１１】
所定の操作手順を記録し、この記録した操作手順を再生することで定型的な処理を実行する制御を行う電子機器の制御方法において、
前記記録した操作手順を再生して、所定の認証を要求する操作になった場合、再生を一旦停止して前記所定の認証に関わる情報を受け付ける制御を行う
ことを特徴とする電子機器の制御方法。
【発明の詳細な説明】
【技術分野】
【０００１】
本発明は、所定の操作手順を記録し、この記録した操作手順を再生することで定型的な処理を実行する機能を有する電子機器および電子機器の制御方法に関する。
【背景技術】
【０００２】
従来、複写機等の電子機器には、所定の操作手順を記録しておき、この記録した操作手順を読み出して再生することで定型的な処理を行う機能を有しているものがある（例えば、特許文献１参照。）。この機能は例えばジョブメモリーと呼ばれ、普段良く使用する操作の手順を記録しておくことで、簡単なメモリー呼び出し操作のみで連続した操作を自動的に行うことができる。
【０００３】
【特許文献１】特公平６−６６０４８号公報
【発明の開示】
【発明が解決しようとする課題】
【０００４】
しかしながら、操作手順を記録するにあたり、その操作の中に所定の認証を要求する操作が含まれていると、認証情報も記録されてしまうため、誤ってその記録を読み出して再生してしまうと認証権限のないユーザでも認証を許可されてしまうという問題が生じる。例えば、複写機においては、その複写機の仕様等を管理する機器管理者のモードや、メンテナンスを行うためにサービスマンのみが許されるメンテナンスモードがあるが、これらのモードへ移行するには各々所定のキー操作と暗証番号等の認証情報が必要となる。これが記録されてしまうと、機器管理者やサービスマンでない一般ユーザであっても簡単に各モードへ移行できてしまうことになる。また、この暗証番号等の認証情報が記録されていると、内部の記録情報を読み取って認証情報を解読される危険性もある。
【課題を解決するための手段】
【０００５】
本発明はこのような課題を解決するために成されたものである。すなわち、本発明は、所定の操作手順を記録し、この記録した操作手順を再生することで定型的な処理を実行する機能を有する電子機器において、所定の操作手順を記録するにあたり、所定の認証を要求する操作を行った場合には認証に関わる情報を記録することを中止する制御を行う。また、本発明は、所定の操作手順を記録している際に所定の認証を要求する操作を行った場合、それまでに記録した操作手順を破棄する制御を行う。
【０００６】
また、本発明は、記録した操作手順を再生するにあたり、操作手順に所定の認証を要求する操作が含まれている場合は操作手順の再生に先立ち所定の認証に関わる情報を受け付ける制御を行う。また、本発明は、記録した操作手順を再生して、所定の認証を要求する操作になった場合、再生を一旦停止して所定の認証に関わる情報を受け付ける制御を行う。
【０００７】
このような本発明では、操作手順の記録機能を有する電子機器において、所定の認証に関わる情報については記録しないようにすることができる。
【発明の効果】
【０００８】
したがって、本発明によれば、操作手順の記録・再生機能を用いて、認証に関わる情報を知らないユーザが認証を許可されて操作が進むことを防止できるようになる。また、認証に関わる情報が記録されないため、不正に認証に関わる情報を取得することを防止でき、操作手順の記録・再生機能を有する電子機器の運用における安全性を高めることが可能となる。
【発明を実施するための最良の形態】
【０００９】
以下、本発明の実施の形態を図に基づき説明する。図１は、本実施形態に係る電子機器の一例である複合機のブロック図である。複合機は制御部１を中心として、自動原稿送り部２、画像読取部３、原稿枚数計測部４、用紙枚数計測部５、原稿イメージ集約部６、操作記録／再生部７、操作パネル８、記憶部９、利用者情報管理部１０、画像出力部１１、用紙トレイ１２および用紙種別検出部１３より構成される。
【００１０】
このような複合機では、通常の動作（例えば、コピー動作、ファクシミリ動作、プリント動作）のほか、所定の操作手順をジョブメモリーとして記録し、この記録したジョブメモリーを読み出して再生することで定型的な処理を実行する機能を有している。例えば、ファクシミリ動作を選択し、特定の送信先を選択し、原稿を読み込み、回線を接続し、原稿画像を送信し、完了する、といった一連の動作を記憶しておき、再び同じ処理を行う際にはその記憶内容を呼び出すボタンを選択するだけで同じ処理を簡単に実行できるようになる。
【００１１】
本実施形態では、このような操作手順の記録／再生機能を備えた電子機器を運用するにあたり、情報機密の安全性を高める点に特徴がある。つまり、本実施形態に係る電子機器では、制御部１によって操作手順の記録機能を制御して、所定の認証を要求する操作を行う際にその認証に関わる情報（認証情報）を記録しないようにし、記録した操作手順の再生機能を制御して、所定の認証を要求する操作を行う際にはその認証情報を手入力で受け付けるようにしている。
【００１２】
先ず、第１の実施形態について説明する。図２は、第１の実施形態に係る制御部の動作（制御方法）を説明するフローチャート、図３〜図４は、第１の実施形態に係る操作パネルの表示例を示す図である。
【００１３】
第１の実施形態では、所定の操作手順を記録するにあたり、所定の認証を要求する操作を行った場合には、その認証情報を記録しないよう制御する。制御部１０での制御方法は、先ず、操作の記録を開始すると、ステップＳ１１に示すように選択した操作の受け付けを行う。画面例では、図３（ａ）に示すように「登録」のボタンを選択し、未登録の番号ボタンを選択することで操作の記録が開始される。図３（ｂ）は記録する操作に対応するボタンを選択する際の画面例である。ここでは「コピー」のボタンが選択されている。
【００１４】
次に、制御部１０は、受け付けた操作が認証操作か否かを判断する（図２、ステップＳ１２）。図３（ｂ）に示す画面例のように例えば「コピー」のボタンであればコピー操作を選択していることになり、このステップＳ１２ではＮｏとなってステップＳ１３へ進み、この操作を記録する。「コピー」ボタンが押下されると、画面例は図３（ｃ）に示すように通常のコピー条件の設定画面に移る。
【００１５】
次の操作がある場合にはステップＳ１５の判断でＮｏとなり、ステップＳ１１へ戻り、次の操作の受け付け状態となる。次に、例えば機械管理者のモードへ移るため、暗証キー（ハードキー）が押下されたとする。画面例は、図４（ａ）に示すような暗証番号を入力するための画面に移る。
【００１６】
制御部１０は、ステップＳ１２の処理でこの操作が認証操作であることを判断し、ステップＳ１４へ進む。ステップＳ１４では、認証操作で入力される認証情報（例えば、暗証番号）は記録せず、認証操作のみを記録する制御を行う。認証操作の記録では、認証に関わる情報の入力画面（例えば、図４（ａ））を表示させるコマンドと、認証操作であることを示すフラグとを記録する。
【００１７】
次に、ユーザは暗証番号を入力し、「確定」ボタンを押下する。これにより内部で認証が行われ、認証できれば次の操作へ移行する。図４（ｂ）は機械管理者用のメニューが表示された例である。その後、例えば「仕様設定／登録」ボタンを押下すると、図４（ｃ）に示す画面となり、各種の設定を行うことができる。これらの一連の操作も記録される。操作が完了した場合は所定のキーを押下することで記録終了となる。これにより、図３（ａ）の画面例で表示される未登録の番号と対応して記録開始からの一連の操作が記録されることになる。
【００１８】
このように、認証操作が含まれる場合には操作のみを記録し、認証に関わる情報（暗証番号等の認証情報）は記録しないように制御するため、認証情報を知らないユーザが認証操作を実行できてしまう不具合を防止することができる。また、認証情報が記録されないため内部の記憶部９を解析された場合でも認証情報の外部への漏えいを防止することが可能となる。
【００１９】
なお、第１の実施形態において認証情報の記録を行わない制御は、切り換え手段（例えば、機械管理者モードでの設定）で記録を行うように切り換えられるようにしてもよい。これによって、必要に応じて認証情報の記録を行う／記録を行わないの選択が可能となり、ユーザの使い勝手が向上する。
【００２０】
次に、第２の実施形態について説明する。図５は、第２の実施形態に係る制御部の動作（制御方法）を説明するフローチャート、図６〜図７は、第２の実施形態に係る操作パネルの表示例を示す図である。
【００２１】
第２の実施形態では、所定の操作手順を記録している際に所定の認証を要求する操作を行った場合、それまでに記録した操作手順を破棄する制御を行う。制御部１０での制御方法は、先ず、操作の記録を開始すると、ステップＳ２１に示すように選択した操作の受け付けを行う。画面例では、図６（ａ）に示すように「登録」のボタンを選択し、未登録の番号ボタンを選択することで操作の記録が開始される。図６（ｂ）は記録する操作に対応するボタンを選択する際の画面例である。ここでは「コピー」のボタンが選択されている。
【００２２】
次に、制御部１０は、受け付けた操作が認証操作か否かを判断する（図５、ステップＳ２２）。図６（ｂ）に示す画面例のように例えば「コピー」のボタンであればコピー操作を選択していることになり、このステップＳ２２ではＮｏとなってステップＳ２３へ進み、この操作を記録する。「コピー」ボタンが押下されると、画面例は図６（ｃ）に示すように通常のコピー条件の設定画面に移る。
【００２３】
次の操作がある場合にはステップＳ２５の判断でＮｏとなり、ステップＳ２１へ戻り、次の操作の受け付け状態となる。次に、例えば機械管理者のモードへ移るため、暗証キー（ハードキー）が押下されたとする。画面例は、図７に示すような暗証番号を入力するための画面に移る。
【００２４】
制御部１０は、ステップＳ２２の処理でこの操作が認証操作であることを判断し、ステップＳ２４へ進む。ステップＳ２４では、認証操作がされた段階で、それまでに記録した操作を破棄する処理を行う。つまり、これまで記録した操作には認証操作が含まれるとして、記録できないようにする。なお、認証操作が含まれないときは、一連の操作が終了した段階で所定のキーを押下することで記録終了となる。
【００２５】
このように、操作の記録中に認証操作を検知した場合には、これまで記録した操作を破棄して記録を停止することにより、認証操作を含む一連の操作をメモリー登録できないようにして、安全性を高めることが可能となる。
【００２６】
なお、第２の実施形態において認証操作が含まれる場合に記録を破棄する制御は、切り換え手段（例えば、機械管理者モードでの設定）で記録を破棄しないように切り換えられるようにしてもよい。これによって、必要に応じて認証操作を含む一連の操作の記録を行う／記録しないの選択が可能となり、ユーザの使い勝手が向上する。
【００２７】
次に、第３の実施形態について説明する。図８は、第３の実施形態に係る制御部の動作（制御方法）を説明するフローチャート、図９〜図１０は、第３の実施形態に係る操作パネルの表示例を示す図である。
【００２８】
第３の実施形態では、記録した操作手順を再生するにあたり、操作手順に所定の認証を要求する操作が含まれている場合は操作手順の再生に先立ち所定の認証に関わる情報（認証情報）を受け付ける制御を行う。制御部１０での制御方法は、先ず、記録した操作の再生を開始すると、ステップＳ３１に示すように、これから再生する操作の中に認証操作が含まれるか否かを判断する。この判断は、一例の操作を記録した際に、認証操作であることを示すフラグを記録しているため、そのフラグが含まれているか否かによって行うことができる。
【００２９】
認証操作が含まれていない場合にはステップＳ３１でＮｏとなり、記録されている最初の操作を再生する。一方、認証操作が含まれている場合にはステップＳ３１でＹｅｓとなり、ステップＳ３４へ進む。ステップＳ３４では、含まれている認証操作に対応した認証情報の受け付けを行う。
【００３０】
画面例では、図９（ａ）に示すように記録（ジョブメモリー）の「呼び出し」ボタンを選択し、記録されている番号のボタンを選択する。これによって再生が開始される。図９（ｂ）は暗証番号の入力を受け付ける画面例である。ステップＳ３４では、このような画面表示を行って認証情報の受け付けを行う。
【００３１】
ユーザが認証情報を入力した後は認証を行い、認証されると記録されている最初の操作の再生を開始する。なお、ここで認証が失敗した場合には再生を終了して図９（ａ）に示すメニューに戻ったり、再入力を要求する画面へ移るようにする。再入力の回数は予め設定でき、この設定回数の再入力でも認証が失敗したら再生を終了してもよい。
【００３２】
また、次の操作がある場合にはステップＳ３２へ戻り、記録されている次の操作を再生する。記録されている最後の操作まで再生した後は再生終了となる。画面例では、操作の最初で暗証番号を入力した後は（図９（ｂ））、図９（ｃ）に示す機能切り換え画面が表示され、記録されている「コピー」ボタンの選択が実行される。
【００３３】
その後、図１０（ａ）に示すコピー条件設定画面が表示され、次に記録されている機械管理者メニューの表示（図１０（ｂ））、次いで記録されている「仕様設定／登録」ボタンの選択操作、最後に図１０（ｃ）に示す仕様設定／登録画面の表示が行われる。
【００３４】
このように、記録された操作の再生を行うに先立ち、その操作の中に認証操作が含まれている場合には、操作の再生を開始する前に認証情報の入力を行うため、操作が開始されると最後まで自動的に実行されることになる。また、認証情報を手入力することから、認証情報を知らないユーザが再生を行おうとしても、正しい認証情報を入力しないかぎり操作が進まないことになる。また、最初に認証情報を求められるため、どのような操作が記録されているかを知られずに済むというメリットもある。
【００３５】
次に、第４の実施形態について説明する。図１１は、第４の実施形態に係る制御部の動作（制御方法）を説明するフローチャート、図１２〜図１３は、第４の実施形態に係る操作パネルの表示例を示す図である。
【００３６】
第４の実施形態では、記録した操作手順を再生して、この操作の中に所定の認証を要求する操作が含まれている場合は再生を一旦停止し、この認証に関わる情報（認証情報）を受け付ける制御を行う。制御部１０での制御方法は、先ず、記録した操作の再生を開始すると、ステップＳ４１に示すように、記録されている最初の操作の読み出す。
【００３７】
次に、ステップＳ４２に示すように、読み出した操作が認証操作であるか否かを判断する。この判断は、一例の操作を記録した際に、認証操作であることを示すフラグを記録しているため、そのフラグが含まれているか否かによって行うことができる。
【００３８】
読み出した操作が認証操作でない場合にはステップＳ４２でＮｏとなり、ステップＳ４３へ進んで読み出した操作の再生を行う。また、次の操作がある場合にはステップＳ４３でＹｅｓとなり、ステップＳ４１へ戻って次の操作の読み出しを行う。
【００３９】
一方、読み出した操作が認証操作である場合にはステップＳ４２でＹｅｓとなり、ステップＳ４５へ進む。ステップＳ４５では、操作の再生を一旦停止して、認証情報の受け付けを行う。
【００４０】
画面例では、図１２（ａ）に示しように記録（ジョブメモリー）の「呼び出し」ボタンを選択し、記録されている番号のボタンを選択することで、その番号に対応して記憶されている操作が開始される。図１２（ｂ）では「コピー」ボタンの選択が実行される。その後、図１２（ｃ）に示すコピー条件設定画面が表示される。ここまでは認証操作がないため、順次実行される。
【００４１】
次に再生される操作として、機械管理者用のメニューへ移るためのボタンが選択されているとすると、図１３（ａ）に示すように暗証番号の入力を受け付ける画面例が表示され、ここで再生処理が一旦停止する。
【００４２】
この画面でユーザが暗証番号を入力すると認証が行われ、認証されると次の操作の再生が再開される。なお、ここで認証が失敗した場合には再生を終了して図１２（ａ）に示すメニューに戻ったり、再入力を要求する画面へ移るようにする。再入力の回数は予め設定でき、この設定回数の再入力でも認証が失敗したら再生を終了してもよい。
【００４３】
認証された後、画面例では、図１３（ｂ）に示す機械管理者メニューの表示、次いで記録されている「仕様設定／登録」ボタンの選択操作、最後に図１３（ｃ）に示す仕様設定／登録画面の表示が行われる。
【００４４】
このように、記録された操作の中に認証操作が含まれている場合には、その認証操作まで自動的に再生され、認証操作で一旦停止する。ここで認証情報を手入力することで操作が再開されるため、認証情報を知らないユーザが操作を続行してしまうことを防止できるようになる。
【００４５】
図１４は、記録した操作の再生を行う際に表示されるメニュー（ジョブメモリーの選択メニュー）の画面例を示す図である。図１４（ａ）の画面例では、操作の中に認証操作を含むメモリー番号が選択不可になっている例である。例えば、メモリー番号「１」には所定の操作が記録されているが、その操作の中に認証操作が含まれているため、「１」のボタンが選択不可になっているとともに、番号の横に「認証を含んでいます」のメッセージが示されている。一方、メモリー番号「６」には所定の操作が記録されているものの、その操作の中に認証操作が含まれていないため、「６」のボタンが選択可能になっている。
【００４６】
なお、これらの画面例は通常動作モードの場合であり、機械管理用のモードなど所定の認証を行って入るモードの場合には、その認証に対応した操作を含むメモリー番号のボタンが選択可能に変化する。
【００４７】
図１４（ｂ）の画面例では、操作の中に認証操作を含むメモリー番号の横に「認証を含んでいます」のメッセージが示される例である。これにより、メモリー番号を選択するユーザは、このメッセージが示されるメモリー番号を指定すると認証操作が必要となることを把握でき、認証操作を知らないユーザが誤って選択してしまうことを防止できるようになる。
【産業上の利用可能性】
【００４８】
本実施形態で説明した制御部１０での各種制御方法は、その流れをプログラムとして実現してもよい。また、本実施形態では、電子機器として複合機を例に説明したが、複合機以外であっても一連の操作を記録できる機能を備えた機器（例えば、プリンタ、ファクシミリ、複写機、自動販売機）であれば本発明を適用可能である。
【図面の簡単な説明】
【００４９】
【図１】本実施形態に係る電子機器の一例である複合機のブロック図である。
【図２】第１の実施形態に係る制御部の動作を説明するフローチャートである。
【図３】第１の実施形態に係る操作パネルの表示例を示す図（その１）である。
【図４】第１の実施形態に係る操作パネルの表示例を示す図（その２）である。
【図５】第２の実施形態に係る制御部の動作を説明するフローチャートである。
【図６】第２の実施形態に係る操作パネルの表示例を示す図（その１）である。
【図７】第２の実施形態に係る操作パネルの表示例を示す図（その２）である。
【図８】第３の実施形態に係る制御部の動作を説明するフローチャートである。
【図９】第３の実施形態に係る操作パネルの表示例を示す図（その１）である。
【図１０】第３の実施形態に係る操作パネルの表示例を示す図（その２）である。
【図１１】第４の実施形態に係る制御部の動作を説明するフローチャートである。
【図１２】第４の実施形態に係る操作パネルの表示例を示す図（その１）である。
【図１３】第４の実施形態に係る操作パネルの表示例を示す図（その２）である。
【図１４】記録した操作の再生を行う際に表示される画面例を示す図である。
【符号の説明】
【００５０】
１…制御部、２…自動原稿送り部、３…画像読取部、４…原稿枚数計測部、５…用紙枚数計測部、６…原稿イメージ集約部、７…操作記録／再生部、８…操作パネル、９…記憶部、１０…利用者情報管理部、１１…画像出力部、１２…用紙トレイ、１３…用紙種別検出部
【図１】
2005217560.tif 000003
【図２】
2005217560.tif 000004
【図３】
2005217560.tif 000005
【図４】
2005217560.tif 000006
【図５】
2005217560.tif 000007
【図６】
2005217560.tif 000008
【図７】
2005217560.tif 000009
【図８】
2005217560.tif 000010
【図９】
2005217560.tif 000011
【図１０】
2005217560.tif 000012
【図１１】
2005217560.tif 000013
【図１２】
2005217560.tif 000014
【図１３】
2005217560.tif 000015
【図１４】
2005217560.tif 000016